(57)【要約】【課題】機器の種類に対応した論理アドレスに空きがない場合でも、ネットワークに接続された他の機器と連携して動作させることが可能な電子機器、そのような電子機器を備えたネットワークシステム、およびそのような電子機器による論理アドレスの取得方法を提供する。【解決手段】このレコーダ２（電子機器）は、所定のインターフェース規格であるＨＤＭＩ規格により接続された複数の機器により構成され、機器の種類に対応した論理アドレスの数に対して機器の種類ごとに上限が決められているネットワークに接続可能なＨＤＭＩ通信部２３と、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御する制御部２５とを備える。【選択図】図７
2012191587.tif 000002
【特許請求の範囲】
【請求項１】
所定のインターフェース規格により接続された複数の機器により構成され、機器の種類に対応した論理アドレスの数に対して機器の種類ごとに上限が決められているネットワークに接続可能な通信部と、
機器の種類に対応した論理アドレスに空きがない場合に、機器の種類に対応した論理アドレス以外の論理アドレスで、かつ、他の機器と相互に制御可能な機器として前記ネットワーク内で認識される論理アドレスを取得するように制御する制御部とを備える、電子機器。
【請求項２】
前記制御部は、機器の種類に対応した論理アドレスに空きがない場合に、前記機器の種類に対応した論理アドレス以外の論理アドレスで、かつ、他の機器と相互に制御可能な機器として前記ネットワーク内で認識される論理アドレスのうち、前記機器の機能に近い論理アドレスを取得する制御を行うように構成されている、請求項１に記載の電子機器。
【請求項３】
前記所定のインターフェース規格は、機器間を、音声データ、映像データおよび制御信号を伝送可能な所定のケーブルにより接続して、前記制御信号により機器間で相互に制御することが可能なインターフェース規格である、請求項１または２に記載の電子機器。
【請求項４】
前記所定のインターフェース規格は、ＨＤＭＩ規格であり、
機器の種類ごとに上限が決められている論理アドレスを用いたＣＥＣ機能により他の機器と相互に制御可能に構成されている、請求項３に記載の電子機器。
【請求項５】
複数の電子機器を備え、
前記複数の電子機器のうち少なくとも１つの電子機器は、所定のインターフェース規格により接続された複数の機器により構成され、機器の種類に対応した論理アドレスの数に対して機器の種類ごとに上限が決められているネットワークに接続可能な通信部と、機器の種類に対応した論理アドレスに空きがない場合に、機器の種類に対応した論理アドレス以外の論理アドレスで、かつ、他の機器と相互に制御可能な機器として前記ネットワーク内で認識される論理アドレスを取得するように制御する制御部とを含む、ネットワークシステム。
【請求項６】
所定のインターフェース規格により接続された複数の機器により構成され、機器の種類に対応した論理アドレスの数に対して機器の種類ごとに上限が決められているネットワークに接続するステップと、
機器の種類に対応した論理アドレスに空きがない場合に、機器の種類に対応した論理アドレス以外の論理アドレスで、かつ、他の機器と相互に制御可能な機器として前記ネットワーク内で認識される論理アドレスを取得するように制御するステップとを備える、電子機器による論理アドレスの取得方法。
【発明の詳細な説明】
【技術分野】
【０００１】
この発明は、電子機器、ネットワークシステム、および電子機器による論理アドレスの取得方法に関し、特に、機器の種類に対応した論理アドレスの数に対して機器の種類ごとに上限が決められているネットワークに接続可能な電子機器、そのような電子機器を備えたネットワークシステム、およびそのような電子機器による論理アドレスの取得方法に関する。
【背景技術】
【０００２】
従来、機器の種類に対応した論理アドレスの数に対して機器の種類ごとに上限が決められているネットワークに接続可能な電子機器が知られている（たとえば、特許文献１参照）。
【０００３】
上記特許文献１には、機器の種類に対応した通信用アドレス（論理アドレス）の数に対して機器の種類ごとに上限が決められているネットワークに接続可能なレコーダ（電子機器）が開示されている。このレコーダは、ＨＤＭＩトランスミッタ（通信部）により、ネットワークに接続可能であり、機器の種類に対応した通信用アドレスに空きがある場合に、機器の種類に対応した通信用アドレスを取得するように構成されている。また、上記特許文献１には、レコーダは、機器の種類に対応した通信用アドレスに空きがない場合には、通信用アドレスを取得することができないという点が記載されている。
【先行技術文献】
【特許文献】
【０００４】
【特許文献１】特開２００９−７１３９６号公報
【発明の概要】
【発明が解決しようとする課題】
【０００５】
しかしながら、上記特許文献１に記載のレコーダ（電子機器）では、機器の種類に対応した通信用アドレス（論理アドレス）に空きがない場合には、通信用アドレスを取得しないので、この場合には、レコーダをネットワークに接続された他の機器と連携して動作させることができないという問題点がある。
【０００６】
この発明は、上記のような課題を解決するためになされたものであり、この発明の１つの目的は、機器の種類に対応した論理アドレスに空きがない場合でも、ネットワークに接続された他の機器と連携して動作させることが可能な電子機器、そのような電子機器を備えたネットワークシステム、およびそのような電子機器による論理アドレスの取得方法を提供することである。
【課題を解決するための手段および発明の効果】
【０００７】
この発明の第１の局面による電子機器は、所定のインターフェース規格により接続された複数の機器により構成され、機器の種類に対応した論理アドレスの数に対して機器の種類ごとに上限が決められているネットワークに接続可能な通信部と、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御する制御部とを備える。
【０００８】
この第１の局面による電子機器では、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御する制御部を設けることによって、機器の種類に対応した論理アドレスに空きがない場合でも、複数の論理アドレスのうち、機器の種類に対応した論理アドレス以外で他の機器と相互に制御可能な機器としてネットワーク内で認識される論理アドレスを取得することができるので、ネットワークに接続された他の機器と連携して動作させることができる。
【０００９】
この第１の局面による電子機器において、好ましくは、制御部は、機器の種類に対応した論理アドレスに空きがない場合に、上記機器の種類に対応した論理アドレス以外の論理アドレスで、かつ、他の機器と相互に制御可能な機器としてネットワーク内で認識される論理アドレスのうち、上記機器の機能に近い論理アドレスを取得する制御を行うように構成されている。このように構成すれば、機器の機能とは無関係の論理アドレスを取得する場合と異なり、ネットワーク内において機器の機能を有効に用いることができる。
【００１０】
この第１の局面による電子機器において、好ましくは、所定のインターフェース規格は、機器間を、音声データ、映像データおよび制御信号を伝送可能な所定のケーブルにより接続して、制御信号により機器間で相互に制御することが可能なインターフェース規格である。このように構成すれば、電子機器と他の機器との間で、音声データ、映像データのみならず制御信号も容易に送信することができるので、音声データおよび映像データを用いる複数の機器、たとえば、複数のＡＶ機器を連携して動作させることができる。
【００１１】
この場合、好ましくは、所定のインターフェース規格は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格であり、電子機器は、機器の種類ごとに上限が決められている論理アドレスを用いたＣＥＣ機能により他の機器と相互に制御可能に構成されている。このように構成すれば、ＨＤＭＩ規格に対応した通信部により、電子機器と他の機器との間で、音声データ、映像データのみならず制御信号も容易に送信することができるとともに、ＣＥＣ機能により他の機器と容易に連携して動作させることができる。
【００１２】
この発明の第２の局面によるネットワークシステムは、複数の電子機器を備え、複数の電子機器のうち少なくとも１つの電子機器は、所定のインターフェース規格により接続された複数の機器により構成され、機器の種類に対応した論理アドレスの数に対して機器の種類ごとに上限が決められているネットワークに接続可能な通信部と、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御する制御部とを含む。
【００１３】
この第２の局面によるネットワークシステムでは、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御する制御部を電子機器に設けることによって、機器の種類に対応した論理アドレスに空きがない場合でも、複数の論理アドレスのうち、機器の種類に対応した論理アドレス以外で他の機器と相互に制御可能な機器としてネットワーク内で認識される論理アドレスを電子機器が取得することができるので、ネットワークに接続された機器同士を連携して動作させることができる。
【００１４】
この発明の第３の局面による電子機器による論理アドレスの取得方法は、所定のインターフェース規格により接続された複数の機器により構成され、機器の種類に対応した論理アドレスの数に対して機器の種類ごとに上限が決められているネットワークに接続するステップと、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御するステップとを備える。
【００１５】
この第３の局面による電子機器による論理アドレスの取得方法では、機器の種類に対応した論理アドレスに空きがない場合に、機器の種類に対応した論理アドレス以外の論理アドレスで、かつ、他の機器と相互に制御可能な機器としてネットワーク内で認識される論理アドレスを取得するように制御するステップを設けることによって、機器の種類に対応した論理アドレスの空きがない場合でも、複数の論理アドレスのうち、機器の種類に対応した論理アドレス以外で他の機器と相互に制御可能な機器としてネットワーク内で認識される論理アドレスを取得することができるので、電子機器をネットワークに接続された他の機器と連携して動作させることができる。
【図面の簡単な説明】
【００１６】
【図１】本発明の一実施形態によるネットワークシステムの全体構成を示した概略図である。
【図２】本発明の一実施形態によるネットワークシステムにおけるＣＥＣリンク上の論理アドレスの対応表を示した図である。
【図３】本発明の一実施形態によるネットワークシステムのＴＶの構成を示したブロック図である。
【図４】本発明の一実施形態によるネットワークシステムのレコーダの構成を示したブロック図である。
【図５】本発明の一実施形態によるネットワークシステムのレコーダの論理アドレス取得機能を有効にする方法を説明するための図である。
【図６】本発明の一実施形態によるネットワークシステムのレコーダが物理アドレスおよび論理アドレスを取得する際の処理を説明するためのフローチャートである。
【図７】図６に示したステップＳ２における論理アドレス取得処理を説明するためのフローチャートである。
【発明を実施するための形態】
【００１７】
以下、本発明の実施形態を図面に基づいて説明する。
【００１８】
まず、図１を参照して、本発明の実施形態によるネットワークシステム１００の構成について説明する。
【００１９】
本発明の一実施形態によるネットワークシステム１００は、図１に示すように、ＴＶ１と、４台のレコーダ２、３、４および５と、ＳＴＢ（セットトップボックス）６と、ＤＶＤプレイヤー７とにより主として構成されている。機器間は、音声データ、映像データおよび制御信号を伝送可能なＨＤＭＩ規格に対応したケーブルにより接続されており、ＴＶ１、レコーダ２、３、４および５、ＳＴＢ６ならびにＤＶＤプレイヤー７の間でＣＥＣ（Ｃｏｎｓｕｍｅｒ  Ｅｌｅｃｔｒｏｎｉｃｓ  Ｃｏｎｔｒｏｌ）リングが構成されている。各機器は、ＣＥＣ機能により機器間で相互に制御可能に構成されている。つまり、各機器は、ＣＥＣリンクに接続されることにより、他の機器と連携して動作させることができる。なお、ＨＤＭＩ規格は、本発明の「所定のインターフェース規格」の一例であり、ＣＥＣリンクは、本発明の「ネットワーク」の一例である。
【００２０】
ＣＥＣリンクでは、図２に示すように、機器の機能ごとに対応する論理アドレスが決められている。機器の機能としてのＴＶ、Ｒｅｃｏｒｄｉｎｇ  Ｄｅｖｉｃｅ、Ｔｕｎｅｒ、Ｐｌａｙｂａｃｋ  Ｄｅｖｉｃｅ、Ａｕｄｉｏ  Ｓｙｓｔｅｍ、Ｒｅｓｅｒｖｅｄ、Ｓｐｅｃｉｆｉｃ  ＵｓｅおよびＵｎｒｅｇｉｓｔｅｒｅｄに対して、それぞれ対応する論理アドレス０〜１５が割り当てられている。また、機能ごとに論理アドレスの数は制限されている。たとえば、録画機能では、Ｒｅｃｏｒｄｉｎｇ  Ｄｅｖｉｃｅ１に対応する論理アドレス「１」、Ｒｅｃｏｒｄｉｎｇ  Ｄｅｖｉｃｅ２に対応する論理アドレス「２」およびＲｅｃｏｒｄｉｎｇ  Ｄｅｖｉｃｅ３に対応する論理アドレス「９」が割り当てられており、取得できる論理アドレスの数の上限は３つである。また、その他の機能も同様にして取得できる論理アドレスの数は制限されている。なお、Ｕｎｒｅｇｉｓｔｅｒｅｄに対応する論理アドレス「１５」は、複数の機器が重複して取得することが可能である。ただし、論理アドレス「１５」を取得した機器を、ＣＥＣリンクに接続された他の機器と連携して動作させることはできない。
【００２１】
また、各機器は、ＣＥＣリンク内において、互いに異なる固有の物理アドレスをそれぞれ取得している。各機器は、物理アドレスにより、ＣＥＣリンク内においての接続関係が特定される。
【００２２】
ＴＶ１は図３に示すように、チューナ１１と、映像処理部１２と、ＨＤＭＩ通信部１３と、表示部１４と、制御部１５とを備えている。ＴＶ１は、ＨＤＭＩ通信部１３によりＣＥＣリンクに接続されている。
【００２３】
ＴＶ１のチューナ１１は、テレビジョン信号を受信するように構成されている。また、映像処理部１２は、テレビジョン信号を表示部１４で表示可能なように処理するように構成されている。また、表示部１４は、処理された映像を表示するように構成されている。また、ＴＶ１の制御部１５は、ＴＶ１の各部の制御を行うように構成されている。
【００２４】
４台のレコーダ２、３、４、および５は、互いに、同様の構成を有している。ここでは、代表してレコーダ２について説明する。レコーダ２は、図４に示すように、チューナ２１と、映像処理部２２と、ＨＤＭＩ通信部２３と、映像データおよび音声データを記憶するＨＤＤ（ハードディスクドライブ）２４と、制御部２５とを備えている。レコーダ２は、ＨＤＭＩ通信部２３によりＣＥＣリンクに接続されている。なお、ＨＤＭＩ通信部２３は、本発明の「通信部」の一例である。
【００２５】
レコーダ２のチューナ２１は、テレビジョン信号を受信するように構成されている。また、映像処理部２２は、テレビジョン信号をＨＤＤ２４で録画可能なように処理するように構成されている。また、ＨＤＤ２４は、処理された映像を録画するように構成されている。
【００２６】
レコーダ２の制御部２５は、レコーダ２の各部の制御を行うように構成されている。また、制御部２５は、後述する物理アドレスおよび論理アドレスを取得する処理（図６参照）を行うように構成されている。また、制御部２５は、Ｒｅｃｏｒｄｉｎｇ  Ｄｅｖｉｃｅに対応する論理アドレスに空きがない場合に、Ｒｅｃｏｒｄｉｎｇ  Ｄｅｖｉｃｅに対応する論理アドレスに近い機能の論理アドレスを取得する処理を行うように構成されている。
【００２７】
また、レコーダ２は、Ｒｅｃｏｒｄｉｎｇ  Ｄｅｖｉｃｅに対応する論理アドレスに空きがない場合に、Ｒｅｃｏｒｄｉｎｇ  Ｄｅｖｉｃｅに対応する論理アドレスに近い機能の論理アドレスを取得する機能を有効にするか否かをユーザにより設定可能に構成されている。具体的には、レコーダ２は、ユーザの操作のための設定画面１４１（図５参照）をＴＶ１の表示部１４に表示させて、ユーザの操作によりこの機能を有効にするか否かを設定できるように構成されている。
【００２８】
ＳＴＢ６は、ケーブルテレビ放送や衛星放送などの放送信号を受信してＴＶ１で視聴可能な信号に変換するように構成されている。また、ＤＶＤプレイヤー７は、ＤＶＤを再生するように構成されている。
【００２９】
次に、図６および図７を参照して、レコーダ２が新たにＣＥＣリンクに接続された際に、制御部２５による物理アドレスおよび論理アドレスを取得する処理について説明する。なお、この場合、レコーダ２が、本発明の「電子機器」の一例であり、ＴＶ１、レコーダ３、４および５、ＳＴＢ６ならびにＤＶＤプレイヤー７が、本発明の「他の機器」の一例である。
【００３０】
レコーダ２が新たにＣＥＣリンクに接続されると、図６のステップＳ１において、制御部２５は、ＣＥＣリンク内の物理アドレスの取得を行う。ステップＳ２において、制御部２５は、後述する論理アドレス取得処理を行い、その後、物理アドレスおよび論理アドレスを取得する処理を終了する。
【００３１】
図６のステップＳ２における論理アドレス取得処理について、図７を参照して詳細に説明する。図７のステップＳ１１において、制御部２５は、ＨＤＭＩ通信部２３を介して、Ｒｅｃｏｒｄｉｎｇ  Ｄｅｖｉｃｅに対応する論理アドレスを取得するためのポーリングメッセージを送信する。ここで、Ｒｅｃｏｒｄｉｎｇ  Ｄｅｖｉｃｅに対応する論理アドレスは、「１」、「２」および「９」であるが、まず、そのうちの最小番号である論理アドレス「１」を取得するためのポーリングメッセージを送信する。ステップＳ１２において、制御部２５は、論理アドレスを取得するためのポーリングメッセージに対してＡＣＫ（Ａｃｋｎｏｗｌｅｄｇｅｍｅｎｔ）があるか否かを判断する。ＡＣＫがなければ、ポーリングメッセージを送信した論理アドレスは、他の機器に使用されていないということなので、ステップＳ２１において、制御部２５は、ポーリングメッセージを送信した論理アドレスを取得して、論理アドレス取得処理を終了する。ＡＣＫがあれば、ステップＳ１３において、制御部２５は、Ｒｅｃｏｒｄｉｎｇ  Ｄｅｖｉｃｅに対応する論理アドレスの残りを確認する。具体的には、制御部は、Ｒｅｃｏｒｄｉｎｇ  Ｄｅｖｉｃｅに対応する論理アドレスのうち、ポーリングメッセージをまだ送信していない残りの論理アドレスを確認する。
【００３２】
次に、ステップＳ１４において、制御部２５は、Ｒｅｃｏｒｄｉｎｇ  Ｄｅｖｉｃｅに対応する論理アドレスのうち、ポーリングメッセージをまだ送信していない論理アドレスがあるか否かを判断する。ポーリングメッセージをまだ送信していない残りの論理アドレスがあれば、ステップＳ１５において、制御部２５は、Ｒｅｃｏｒｄｉｎｇ  Ｄｅｖｉｃｅに対応する残りの論理アドレスを取得するためのポーリングメッセージを送信する。ここで、Ｒｅｃｏｒｄｉｎｇ  Ｄｅｖｉｃｅに対応する残りの論理アドレスが複数ある場合は、番号が小さい順にポーリングメッセージを送信するものとする。たとえば、論理アドレス「２」および「９」が残っていた場合は、制御部２５は、論理アドレス「２」を取得するためのポーリングメッセージを送信する。その後、ステップＳ１２に進む。
【００３３】
Ｒｅｃｏｒｄｉｎｇ  Ｄｅｖｉｃｅに対応する論理アドレスの残りがなければ、ステップＳ１４の後、ステップＳ１６において、制御部２５は、次の候補の論理アドレスを取得するためのポーリングメッセージを送信する。制御部２５は、次の候補の論理アドレスとして、Ｒｅｃｏｒｄｉｎｇ  Ｄｅｖｉｃｅに対応する論理アドレスの機能により近い機能の論理アドレスを選択する。本実施形態では、Ｐｌａｙｂａｃｋ  Ｄｅｖｉｃｅに対応する論理アドレス、Ｔｕｎｅｒに対応する論理アドレスの順にＲｅｃｏｒｄｉｎｇ  Ｄｅｖｉｃｅにより近い機能の論理アドレスと判断する。また、Ｐｌａｙｂａｃｋ  Ｄｅｖｉｃｅに対応する論理アドレスおよびＴｕｎｅｒに対応する論理アドレスは、それぞれ、複数あるので、番号が小さい順に候補とされる。つまり、Ｐｌａｙｂａｃｋ  Ｄｅｖｉｃｅに対応する論理アドレス「４」、「８」、「１１」、Ｔｕｎｅｒに対応する論理アドレス「３」、「６」、「７」、「１０」、の順に取得する論理アドレスの候補とされる。
【００３４】
次に、ステップＳ１７において、制御部２５は、論理アドレスを取得するためのポーリングメッセージに対してＡＣＫがあるか否かを判断する。ＡＣＫがなければ、ポーリングメッセージを送信した論理アドレスは、他の機器に使用されていないということなので、ステップＳ２１において、制御部２５は、ポーリングメッセージを送信した論理アドレスを取得して、論理アドレス取得処理を終了する。ＡＣＫがあれば、ステップＳ１８において、制御部２５は、取得候補の論理アドレスの残りを確認する。具体的には、制御部は、Ｐｌａｙｂａｃｋ  Ｄｅｖｉｃｅに対応する論理アドレスおよびＴｕｎｅｒに対応する論理アドレスのうち、ポーリングメッセージをまだ送信していない残りの論理アドレスを確認する。
【００３５】
次に、ステップＳ１９において、制御部２５は、取得候補の論理アドレスのうち、ポーリングメッセージをまだ送信していない論理アドレスがあるか否かを判断する。ポーリングメッセージをまだ送信していない残りの論理アドレスがあれば、ステップＳ１６に進む。残りの論理アドレスがなければ、ステップＳ２０において、制御部２５は、Ｕｎｒｅｇｉｓｔｅｒｅｄに対応する論理アドレス「１５」を取得して、論理アドレス取得処理を終了する。つまり、制御部２５は、Ｒｅｃｏｒｄｉｎｇ  Ｄｅｖｉｃｅに対応する論理アドレスに空きがない場合に、Ｐｌａｙｂａｃｋ  Ｄｅｖｉｃｅに対応する論理アドレスまたはＴｕｎｅｒに対応する論理アドレスに空きがある場合には、Ｒｅｃｏｒｄｉｎｇ  Ｄｅｖｉｃｅに対応する論理アドレスに近い機能の論理アドレスとして、Ｐｌａｙｂａｃｋ  Ｄｅｖｉｃｅに対応する論理アドレスまたはＴｕｎｅｒに対応する論理アドレスを取得する制御を行うように構成されている。
【００３６】
本実施形態では、上記のように、機器の種類に対応した論理アドレスに空きがない場合に、機器の種類に対応した論理アドレス以外の論理アドレスで、かつ、他の機器と相互に制御可能な機器としてＣＥＣリンク内で認識される論理アドレスを取得するように制御する制御部２５を設けることによって、機器の種類に対応した論理アドレスに空きがない場合でも、複数の論理アドレスのうち、機器の種類に対応した論理アドレス以外で他の機器と相互に制御可能な機器としてＣＥＣリンク内で認識される論理アドレスを取得することができるので、ＣＥＣリンクに接続された他の機器と連携して動作させることができる。
【００３７】
また、本実施形態では、制御部２５を、機器の種類に対応した論理アドレスに空きがない場合に、上記機器の種類に対応した論理アドレス以外の論理アドレスで、かつ、他の機器と相互に制御可能な機器としてＣＥＣリンク内で認識される論理アドレスのうち、上記機器の機能に近い論理アドレスを取得する制御を行うように構成することによって、機器の機能とは無関係の論理アドレスを取得する場合と異なり、ＣＥＣリンク内においてレコーダ２の機能を有効に用いることができる。
【００３８】
また、本実施形態では、所定のインターフェース規格を、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格にするとともに、レコーダ２を、機器の種類ごとに上限が決められている論理アドレスを用いたＣＥＣ機能により他の機器と相互に制御可能に構成することによって、ＨＤＭＩ規格に対応したＨＤＭＩ通信部２３により、レコーダ２と他の機器との間で、音声データ、映像データのみならず制御信号も容易に送信することができるとともに、ＣＥＣ機能により他の機器と容易に連携させることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の電子機器の一例としてレコーダを示したが、本発明はこれに限られない。本発明は、レコーダ以外の電子機器に対しても適用可能である。たとえば、ＴＶなどでも本発明を適用可能である。この場合、機器の機能に近い論理アドレスとして、たとえば、Ｔｕｎｅｒに対応する論理アドレスを選択してもよい。
【００４１】
また、上記実施形態では、機器の種類に対応した論理アドレスに空きがない場合に、機器の機能に近い論理アドレスを取得する例を示したが、本発明はこれに限られない。本発明では、機器の種類に対応した論理アドレスに空きがない場合に、たとえば、空いている他の論理アドレスのうち、アドレス番号が小さい論理アドレスを取得するようにしてもよい。
【００４２】
また、上記実施形態では、機器の種類に対応した論理アドレスに空きがない場合に、他の機器と相互に制御可能な機器としてネットワーク内で認識される論理アドレスを取得するという電子機器の機能を有効にするために、ユーザは、電子機器をメニュー画面から操作して、機能を有効にする設定をする例を示したが、本発明はこれに限られない。本発明では、特定の組み合わせの操作ボタンを押すことにより設定可能となる隠しコマンドにより設定するようにしてもよいし、リモコン等に専用の操作ボタンを設けて設定するようにしてもよい。
【００４３】
また、上記実施形態では、所定のインターフェース規格としてＨＤＭＩ規格により各機器を接続している例を示したが、本発明はこれに限らない。本発明では、機器間を、音声データ、映像データおよび制御信号を伝送可能な所定のケーブルにより接続して、制御信号により機器間の連携動作を行うことが可能なインターフェース規格であれば、ＨＤＭＩ規格以外のインターフェース規格であってもよい。
【００４４】
また、上記実施形態では、本発明のネットワークの一例として、ＣＥＣリンクを示したが、本発明はこれに限らない。本発明では、所定のインターフェース規格により接続された複数の機器により構成され、機器の種類に対応した論理アドレスの数に対して機器の種類ごとに上限が決められているネットワークであれば、ＣＥＣリンク以外のネットワークでもよい。
【符号の説明】
【００４５】
１  ＴＶ（他の機器）          
２  レコーダ（電子機器）
３、４、５  レコーダ（他の機器）
６  ＳＴＢ（他の機器）
７  ＤＶＤプレイヤー（他の機器）
２３  ＨＤＭＩ通信部（通信部）
２５  制御部
１００  ネットワークシステム
【図１】
2012191587.tif 000003
【図２】
2012191587.tif 000004
【図３】
2012191587.tif 000005
【図４】
2012191587.tif 000006
【図５】
2012191587.tif 000007
【図６】
2012191587.tif 000008
【図７】
2012191587.tif 000009